(57)【要約】【課題】排水用ブロックを組合せ構造にすることにより、コーナーでも勾配のある箇所でも容易に接続することができる排水用ブロックを提供する。【解決手段】排水用ブロックの接続構造は、少なくとも後端側に上底部を欠いて下底部と左右両側部により明渠が形成された前部材と、上下両底部と左右両側部により暗渠が形成され、前端側に上底部が延長された突片が設けられ、前記突片の下面に前記明渠の内幅と同じ外径の軸体が設けられた後部材と、を有し、前記明渠の上に前記突片が載るように前記前部材と前記後部材とを前後に接続したときに、前記明渠に嵌合した前記軸体を軸として前記後部材を回動させることにより、前記明渠から繋げた前記暗渠の角度を横方向に変更する、ことを特徴とする。【選択図】図２
2016216915.tif 000002
【特許請求の範囲】
【請求項１】
少なくとも後端側に上底部を欠いて下底部と左右両側部により明渠が形成された前部材と、
上下両底部と左右両側部により暗渠が形成され、前端側に上底部が延長された突片が設けられ、前記突片の下面に前記明渠の内幅と同じ外径の軸体が設けられた後部材と、を有し、
前記明渠の上に前記突片が載るように前記前部材と前記後部材とを前後に接続したときに、前記明渠に嵌合した前記軸体を軸として前記後部材を回動させることにより、前記明渠から繋げた前記暗渠の角度を横方向に変更する、
ことを特徴とする排水用ブロックの接続構造。
【請求項２】
前記突片より前記明渠が長い場合に蓋部材で前記明渠を覆う、
ことを特徴とする請求項１に記載の排水用ブロックの接続構造。
【請求項３】
前記突片より前記明渠が長い場合に前記明渠を切削して前記明渠と前記突片の長さを合わせる、
ことを特徴とする請求項１に記載の排水用ブロックの接続構造。
【請求項４】
前記明渠と前記暗渠との間に、前記明渠の下底部の高さから前記明渠の下底部の高さの勾配で傾斜を設けた補助部材を介すことにより、前記明渠から繋げた前記暗渠の角度を縦方向に変更する、
ことを特徴とする請求項１乃至３の何れか一に記載の排水用ブロックの接続構造。
【請求項５】
少なくとも後端側に上底部を欠いて下底部と左右両側部により明渠を形成した前部材を作成する工程と、
上下両底部と左右両側部により暗渠を形成し、前端側に上底部が延長された突片を設け、前記突片の下面に前記明渠の内幅と同じ外径の軸体を設けた後部材を作成する工程と、
前記明渠の上に前記突片が載るように前記前部材と前記後部材とを前後に接続し、前記明渠に嵌合した前記軸体を軸として前記後部材を回動させることにより、前記明渠から繋げた前記暗渠の角度を横方向に変更する工程と、
前記明渠と前記暗渠との間に、前記明渠の下底部の高さから前記明渠の下底部の高さの勾配で傾斜を設けた補助部材を介すことにより、前記明渠から繋げた前記暗渠の角度を縦方向に変更する工程と、
前記前部材と前記後部材との間の余分を切削し、又はその隙間にコンクリートを現場打ちする工程と、を有する、
ことを特徴とする排水用ブロックの接続方法。
【発明の詳細な説明】
【技術分野】
【０００１】
本発明は、道路の端などに設置される排水用ブロックを接続する構造に関する。
【背景技術】
【０００２】
アスファルトで舗装された道路の端などには、雨水などを流出させるための排水用ブロックが設置されることがある。排水用ブロックは、主に、砂、砂利、水などをセメントで凝固させたコンクリート製であるが、Ｕ字状に成形した明渠ブロックのように地上に露出させた状態で設置する場合もあれば、ボックス状に成形した暗渠ブロックのように地中に埋め込んだ状態で設置する場合もある。
【０００３】
排水用ブロックは、直線状に配置することが想定されており、多少の角度を付けることは可能であっても、自由に方向を変更するのは困難である。そのため、コーナー用の排水用ブロックを別途用意して配置するなどの方法が採られる。特許文献１に記載されているように、カーブにおける接続部の水漏れを防止し、流水抵抗を小さくした側溝ブロック及び側溝の発明も公開されている。
【先行技術文献】
【特許文献】
【０００４】
【特許文献１】特許第５１１１４５３号公報
【発明の概要】
【発明が解決しようとする課題】
【０００５】
しかしながら、特許文献１に記載の発明の場合、円弧状の凹凸が形成されたブロックを別途製造する必要があるため、排水用ブロックに汎用性がなく、製造コストも嵩んでしまう。なお、当該発明は、左右への方向変換は可能であるが、上下方向への傾斜変更、すなわち勾配を変えることはできないため、さらに勾配変更用の排水用ブロックを別途製造する必要が生ずる。
【０００６】
そこで、本発明は、排水用ブロックを組合せ構造にすることにより、コーナーでも勾配のある箇所でも容易に接続することができる排水用ブロックを提供することを目的とするものである。
【課題を解決するための手段】
【０００７】
上記の課題を解決するために、本発明である排水用ブロックの接続構造は、少なくとも後端側に上底部を欠いて下底部と左右両側部により明渠が形成された前部材と、上下両底部と左右両側部により暗渠が形成され、前端側に上底部が延長された突片が設けられ、前記突片の下面に前記明渠の内幅と同じ外径の軸体が設けられた後部材と、を有し、前記明渠の上に前記突片が載るように前記前部材と前記後部材とを前後に接続したときに、前記明渠に嵌合した前記軸体を軸として前記後部材を回動させることにより、前記明渠から繋げた前記暗渠の角度を横方向に変更する、ことを特徴とする。
【０００８】
また、本発明は、前記突片より前記明渠が長い場合に蓋部材で前記明渠を覆う、ことを特徴とする。
【０００９】
また、本発明は、前記突片より前記明渠が長い場合に前記明渠を切削して前記明渠と前記突片の長さを合わせる、ことを特徴とする。
【００１０】
また、本発明は、前記明渠と前記暗渠との間に、前記明渠の下底部の高さから前記明渠の下底部の高さの勾配で傾斜を設けた補助部材を介すことにより、前記明渠から繋げた前記暗渠の角度を縦方向に変更する、ことを特徴とする。
【００１１】
さらに、本発明である排水用ブロックの接続方法は、少なくとも後端側に上底部を欠いて下底部と左右両側部により明渠を形成した前部材を作成する工程と、上下両底部と左右両側部により暗渠を形成し、前端側に上底部が延長された突片を設け、前記突片の下面に前記明渠の内幅と同じ外径の軸体を設けた後部材を作成する工程と、前記明渠の上に前記突片が載るように前記前部材と前記後部材とを前後に接続し、前記明渠に嵌合した前記軸体を軸として前記後部材を回動させることにより、前記明渠から繋げた前記暗渠の角度を横方向に変更する工程と、前記明渠と前記暗渠との間に、前記明渠の下底部の高さから前記明渠の下底部の高さの勾配で傾斜を設けた補助部材を介すことにより、前記明渠から繋げた前記暗渠の角度を縦方向に変更する工程と、前記前部材と前記後部材との間の余分を切削し、又はその隙間にコンクリートを現場打ちする工程と、を有する、ことを特徴とする。
【発明の効果】
【００１２】
本発明によれば、前部材と後部材を組み合わせることにより、排水用ブロックの配設方向を自由に変更することが可能であり、コーナーで横方向に曲げたい場合や、縦方向に傾斜を変えたい場合でも、簡単に接続することができる。また、Ｕ字型の側溝ブロックと、ボックス型の暗渠ブロックとを接続することも可能なので、地上に露出させたい箇所と、地中に埋設させたい箇所とがあっても、自由に配置することができる。
【図面の簡単な説明】
【００１３】
【図１】本発明である排水用ブロックが設置された状態を示す斜視図である。
【図２】本発明である排水用ブロックが接続された状態を示す斜視図である。
【図３】本発明である排水用ブロックの斜視図であり、（ａ）は前部材の斜視図であり、（ｂ）は後部材の斜視図である。
【図４】本発明である排水用ブロックの前部材の図であり、（ａ）は正面図であり、（ｂ）は平面図であり、（ｃ）は側面図であり、（ｄ）は底面図であり、（ｅ）は背面図である。
【図５】本発明である排水用ブロックの後部材の図であり、（ａ）は正面図であり、（ｂ）は平面図であり、（ｃ）は側面図であり、（ｄ）は底面図であり、（ｅ）は背面図である。
【図６】本発明である排水用ブロックの接続について示す平面図であり、（ａ）は直線方向に接続された場合であり、（ｂ）は斜め方向に接続された場合であり、（ｃ）は直角方向に接続された場合である。
【図７】本発明である排水用ブロックの加工について示す斜視図である。
【図８】本発明である排水用ブロックの補助部材について示す斜視図である。
【発明を実施するための形態】
【００１４】
以下に、本発明の実施形態について図面を参照して詳細に説明する。なお、同一機能を有するものは同一符号を付け、その繰り返しの説明は省略する場合がある。
【実施例１】
【００１５】
まず、本発明である排水用ブロックの設置状態について説明する。図１は、排水用ブロックが設置された状態を示す斜視図である。図２は、排水用ブロックが接続された状態を示す斜視図である。
【００１６】
図１に示すように、排水用ブロック１００は、アスファルト等で舗装された道路４００の端などに設置される。排水用ブロック１００は、地面４１０に溝を掘って、地中４２０にブロック材２００が埋設される。排水用ブロック１００には、ボックス状に形成して地中に埋設される暗渠ブロックや、Ｕ字状に形成して地上に露出させる明渠ブロックなどがある。明渠ブロックの場合、空いた上面には蓋部材３００が被せられることがある。蓋部材３００には、格子状のグレーチングや、コンクリート製の板材などがある。
【００１７】
排水用ブロック１００の例として暗渠ブロックで説明する。図２に示すように、排水用ブロック１００として使用するブロック材２００は、コンクリートブロックであり、予め製造しておくプレキャストコンクリートである。なお、ブロック材２００を配置した後に、ブロック同士の隙間などは、コンクリートを現場打ちする等して塞ぐことにより、排水路としてシール性を保持する。
【００１８】
ブロック材２００は、前側の前部材２１０と、後側の後部材２２０とを連結して延ばしていく。前部材２１０の一部、特に後端側は、上面の空いた明渠ブロックになっている。後部材２２０の前端側は、上面が前方に延びており、前部材２１０の後端側の空いた上面に被せるようにして、前部材２１０の後側に連結可能である。なお、前部材２１０の上面と、後部材２２０の上面の間に空いた間隙２３０には蓋部材３００を載置可能である。
【００１９】
後部材２２０の後端側が暗渠ブロックである場合、後端側の上面を切削して明渠ブロックにすることにより、前部材２１０と同じになるので、さらにその後側に別の後部材２２０を連結することが可能となる。また、同様に、前部材２１０の前端側が暗渠ブロックの場合、前端側の上面を前方に延長させることにより、後部材２２０と同じになるので、さらにその前側に別の前部材２１０を連結することが可能となる。
【００２０】
また、暗渠ブロックとして連結する場合だけでなく、明渠ブロックとして地上に露出した状態で配置されているものを、地中に埋設するために暗渠ブロックに変えて連結したい場合に、本発明における接続構造を利用することができる。なお、矩形状の暗渠ブロックとＵ字状の明渠ブロックを例としたが、本発明の接続構造を利用できれば、別の形状の組合せにしても良い。
【００２１】
次に、本発明である排水用ブロックの構造について説明する。暗渠ブロックとしてブロック材２００を接続する場合の前部材２１０と後部材２２０の構造を示す。なお、図において、左側を前側とし、右側を後側とする。
【００２２】
図３（ａ）は前部材の斜視図であり、図３（ｂ）は後部材の斜視図である。図４（ａ）は前部材の正面図であり、図４（ｂ）は前部材の平面図であり、図４（ｃ）は前部材の側面図（左右同じなので右のみ）であり、図４（ｄ）は前部材の底面図であり、図４（ｅ）は前部材の背面図である。図５（ａ）は後部材の正面図であり、図５（ｂ）は後部材の平面図であり、図５（ｃ）は後部材の側面図（左右同じなので右のみ）であり、図５（ｄ）は後部材の底面図であり、図５（ｅ）は後部材の背面図である。
【００２３】
図３（ａ）に示すように、前部材２１０の前端側及び中間部分は、任意の溝渠として形成されていれば良いが、上底部２１１と下底部２１２と左右両側部２１３により矩形状の暗渠２１４が形成されているとする。前部材２１０の後端側は、下底部２１２と左右両側部２１３によりＵ字状の明渠２１５を形成する。なお、後端側の上底部２１１は切削しても良いし、予め上底部２１１が無い状態で成形しても良い。
【００２４】
図３（ｂ）に示すように、後部材２２０の後端側及び中間部分は、任意の溝渠として形成されていれば良いが、上底部２２１と下底部２２２と左右両側部２２３により矩形状の暗渠２２４が形成されているとする。後部材２２０の前端側には、上底部２１１を前方に延長した突片２２５を設ける。突片２２５は、後部材２２０の型枠に予め突片２２５の形状を入れておく等して、一体成形されることが好ましい。
【００２５】
図４に示すように、前部材２１０は、上面が上底部２１１、下面が下底部２１２、左側面及び右側面が側部２１３によって矩形状に囲まれる。下底部２１２及び側部２１３は、前部材２１０の前端側から後端側までに存在するが、上底部２１１は、前部材２１０の前端側から中間部分までに存在する。すなわち、前端側及び中間部分は暗渠２１４であり、後端側は明渠２１５である。
【００２６】
前部材２１０において、各面に囲まれた内部は中空であり、隣接する面は直角に連設される。上底部２１１と下底部２１２とは平行であり、暗渠２１４の高さは一定である。左右の側部２１３も平行であり、暗渠２１４又は明渠２１５の内幅は一定である。なお、前部材２１０は、コンクリート製なので、水漏れしないように、一体的に成形されることが好ましい。
【００２７】
図５に示すように、後部材２２０は、上面が上底部２２１、下面が下底部２２２、左側面及び右側面が側部２２３によって矩形状に囲まれる。上底部２２１、下底部２２２及び側部２２３は、後部材２２０の前端部から後端部までに存在するが、上底部２２１は、後部材２２０の前端側から前方に延長された突片２２５を有する。すなわち、後部材２２０は、突片２２５の部分を除き、暗渠２２４である。
【００２８】
後部材２２０において、各面に囲まれた内部は中空であり、隣接する面は直角に連設される。上底部２２１と下底部２２２とは平行であり、暗渠２２４の高さは一定である。左右の側部２２３も平行であり、暗渠２２４の内幅は一定である。暗渠２２４の高さ及び内幅は、暗渠２１４又は明渠２１５と連結することから同じであることが好ましい。なお、後部材２２０も、コンクリート製なので、一体的に成形されることが好ましい。
【００２９】
前部材２１０の後側に後部材２２０を連結する際、前部材の後端側の明渠２１５に後部材２２０の突片２２５を載せることにより暗渠にする。そのとき、前部材２１０と後部材２２０の位置を合わせ、連結後の位置ずれを防止するために、図５に示すように、突片２２５の下面に軸体２２６を設ける。軸体２２６は、前部材２１０の明渠２１５の内幅と同じ外径の円盤であり、明渠２１０の左右の側部２１３の間に嵌合する。
【００３０】
次に、本発明である排水用ブロックの接続方向について説明する。図６（ａ）は、排水用ブロックを直線方向に接続した場合の平面図であり、図６（ｂ）は排水用ブロックを斜め方向に接続した場合の平面図であり、図６（ｃ）は直角方向に接続した場合の平面図である。図７は、排水用ブロックを切削加工した場合の斜視図である。図８は、排水用ブロックに補助部材を介す場合の斜視図である。
【００３１】
図６（ａ）に示すように、直線方向に排水用ブロック１００を延ばしていく場合は、前部材２１０の後側に後部材２２０を連結すれば良い。排水用ブロック１００を設置する場所によっては、方向を変更する必要がある。例えば、図６（ｂ）に示すように、斜め４５度の横方向に後部材２２０を傾ける場合や、図６（ｃ）に示すように、コーナーのような場所では、９０度の横方向に後部材２２０を傾ける場合などがある。
【００３２】
後部材２２０を横方向に傾ける場合は、前部材２１０の明渠２１５に嵌め込んだ後部材２２０の軸体２２６を軸として、後部材２２０を回動させれば良い。後部材２２０を回動させると、前部材２１０の暗渠２１４と、後部材２２０の暗渠２２４とが、溝渠として滑らかに連結されない場合があるので、前部材２１０及び後部材２２０の一部を切削し、隙間をコンクリートで現場打ちすることにより、滑らかに連結する。
【００３３】
図２に示すように、前部材２１０と後部材２２０とを直線方向に連結する場合、前部材２１０の明渠２１５の部分より、後部材２２０の突片２２５の長さが短いと、間隙２３０が存在するようになり、蓋部材３００で塞ぐ必要が生じる。そのため、図７に示すように、前部材２１０の明渠２１５の部分を切削する等して短くし、後部材２２０の突片２２５の長さと同じにする。
【００３４】
前部材２１０の明渠２１５の部分と、後部材２２０の突片２２５の長さを合わせることにより、前部材２１０と後部材２２０とが、ぴったりと接合することにより、一つの暗渠と変わらない状態となる。なお、前部材２１０と後部材２２０との間の僅かな隙間については、コンクリートを現場打ちすることにより、完全に封止する。なお、短いサイズの暗渠にする場合も、同様の作業で可能である。
【００３５】
さらに、排水用ブロック１００を設置する場所によっては、縦方向に傾斜を変更する必要がある。例えば、図８に示すように、下方向に後部材２２０が下がっていくような場合には、前部材２１０と後部材２２０とを滑らかに連結されるように、補助部材２４０を使用する。なお、上方向に後部材２２０が上がっていくような場合にも、同様に補助部材２４０を用いれば良い。
【００３６】
前部材２１０より下部材２２０の位置が下がる場合においては、前部材２１０の暗渠２１４及び明渠２１５と、後部材２２０の暗渠２２４は、水平な状態で配置されるので、前部材２１０と後部材２２０との間に、明渠２１５の下底部２１２の高さから暗渠２２４の下底部２２２の高さの下り勾配で傾斜を有する補助部材２４０を介して、上下方向の角度を滑らかに変更する。
【００３７】
前部材２１０より後部材２２０の位置が上がる場合、すなわち前部材２１０の上底部２１１から下底部２１２までを深くすることにより、後部材２２０の位置が上がる場合は、明渠２１５の下底部２１２の高さから暗渠２２４の下底部２２２の高さの上り勾配で傾斜を有する補助部材２４０を介して、上下方向の角度を滑らかに変更する。なお、補助部材２４０を介すことで生じた隙間は、コンクリートを現場打ちすることにより封止する。
【００３８】
このように、前部材２１０と後部材２２０を組み合わせることにより、排水用ブロック１００の配設方向を自由に変更することが可能であり、コーナーで横方向に曲げたい場合や、縦方向に傾斜を変えたい場合でも、簡単に接続することができる。また、Ｕ字型の側溝ブロックと、ボックス型の暗渠ブロックとを接続することも可能であり、地上に露出させたい箇所と、地中に埋設させたい箇所とがあっても、自由に配置することができる。
【００３９】
以上、本発明の実施例を述べたが、これらに限定されるものではない。例えば、本発明は、排水用ブロックとして、コンクリートを成形したブロック材を使用したが、コンクリート以外でも、金属や樹脂などを使用しても良い。例えば、金属の場合は折り曲げて矩形状にし、溶接等により接合して暗渠を成形しても良い。
【符号の説明】
【００４０】
１００：排水用ブロック
２００：ブロック材
２１０：前部材
２１１：上底部
２１２：下底部
２１３：側部
２１４：暗渠
２１５：明渠
２２０：後部材
２２１：上底部
２２２：下底部
２２３：側部
２２４：暗渠
２２５：突片
２２６：軸体
２３０：間隙
２４０：補助部材
３００：蓋部材
４００：道路
４１０：地面
４２０：地中
【図１】
2016216915.tif 000003
【図２】
2016216915.tif 000004
【図３】
2016216915.tif 000005
【図４】
2016216915.tif 000006
【図５】
2016216915.tif 000007
【図６】
2016216915.tif 000008
【図７】
2016216915.tif 000009
【図８】
2016216915.tif 000010
【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
少なくとも後端側に上底部を欠いて下底部と左右両側部により明渠が形成された前部材と、
上下両底部と左右両側部により暗渠が形成され、前端側に上底部が延長された突片が設けられ、前記突片の下面に前記明渠の内幅と同じ外径の軸体が設けられた後部材と、を有し、
前記明渠の上に前記突片が載るように前記前部材と前記後部材とを前後に接続したときに、前記明渠に嵌合した前記軸体を軸として前記後部材を回動させることにより、前記明渠から繋げた前記暗渠の角度を横方向に変更し、
前記突片より前記明渠が長い場合に蓋部材で前記明渠を覆う、
ことを特徴とする排水用ブロックの接続構造。
【請求項２】
少なくとも後端側に上底部を欠いて下底部と左右両側部により明渠が形成された前部材と、
上下両底部と左右両側部により暗渠が形成され、前端側に上底部が延長された突片が設けられ、前記突片の下面に前記明渠の内幅と同じ外径の軸体が設けられた後部材と、を有し、
前記明渠の上に前記突片が載るように前記前部材と前記後部材とを前後に接続したときに、前記明渠に嵌合した前記軸体を軸として前記後部材を回動させることにより、前記明渠から繋げた前記暗渠の角度を横方向に変更し、
前記突片より前記明渠が長い場合に前記明渠を切削して前記明渠と前記突片の長さを合わせる、
ことを特徴とする排水用ブロックの接続構造。
【請求項３】
前記明渠と前記暗渠との間に、前記明渠の下底部の高さから前記暗渠の下底部の高さの勾配で傾斜を設けた補助部材を介すことにより、前記明渠から繋げた前記暗渠の角度を縦方向に変更する、
ことを特徴とする請求項１又は２に記載の排水用ブロックの接続構造。
【請求項４】
少なくとも後端側に上底部を欠いて下底部と左右両側部により明渠を形成した前部材を作成する工程と、
上下両底部と左右両側部により暗渠を形成し、前端側に上底部が延長された突片を設け、前記突片の下面に前記明渠の内幅と同じ外径の軸体を設けた後部材を作成する工程と、
前記明渠の上に前記突片が載るように前記前部材と前記後部材とを前後に接続し、前記明渠に嵌合した前記軸体を軸として前記後部材を回動させることにより、前記明渠から繋げた前記暗渠の角度を横方向に変更する工程と、
前記明渠と前記暗渠との間に、前記明渠の下底部の高さから前記暗渠の下底部の高さの勾配で傾斜を設けた補助部材を介すことにより、前記明渠から繋げた前記暗渠の角度を縦方向に変更する工程と、
前記前部材と前記後部材との間の余分を切削し、又はその隙間にコンクリートを現場打ちする工程と、を有する、
ことを特徴とする排水用ブロックの接続方法。
【手続補正２】
【補正対象書類名】明細書
【補正対象項目名】００１０
【補正方法】変更
【補正の内容】
【００１０】
また、本発明は、前記明渠と前記暗渠との間に、前記明渠の下底部の高さから前記暗渠の下底部の高さの勾配で傾斜を設けた補助部材を介すことにより、前記明渠から繋げた前記暗渠の角度を縦方向に変更する、ことを特徴とする。
【手続補正３】
【補正対象書類名】明細書
【補正対象項目名】００１１
【補正方法】変更
【補正の内容】
【００１１】
さらに、本発明である排水用ブロックの接続方法は、少なくとも後端側に上底部を欠いて下底部と左右両側部により明渠を形成した前部材を作成する工程と、上下両底部と左右両側部により暗渠を形成し、前端側に上底部が延長された突片を設け、前記突片の下面に前記明渠の内幅と同じ外径の軸体を設けた後部材を作成する工程と、前記明渠の上に前記突片が載るように前記前部材と前記後部材とを前後に接続し、前記明渠に嵌合した前記軸体を軸として前記後部材を回動させることにより、前記明渠から繋げた前記暗渠の角度を横方向に変更する工程と、前記明渠と前記暗渠との間に、前記明渠の下底部の高さから前記暗渠の下底部の高さの勾配で傾斜を設けた補助部材を介すことにより、前記明渠から繋げた前記暗渠の角度を縦方向に変更する工程と、前記前部材と前記後部材との間の余分を切削し、又はその隙間にコンクリートを現場打ちする工程と、を有する、ことを特徴とする。
【手続補正４】
【補正対象書類名】明細書
【補正対象項目名】００３６
【補正方法】変更
【補正の内容】
【００３６】
前部材２１０より後部材２２０の位置が下がる場合においては、前部材２１０の暗渠２１４及び明渠２１５と、後部材２２０の暗渠２２４は、水平な状態で配置されるので、前部材２１０と後部材２２０との間に、明渠２１５の下底部２１２の高さから暗渠２２４の下底部２２２の高さの下り勾配で傾斜を有する補助部材２４０を介して、上下方向の角度を滑らかに変更する。